(57)【要約】      （修正有）【課題】部屋あるいは建物に出入したり乗物を運転する管理対象者の健康状態を効率よく管理する点呼システムを提供する。【解決手段】点呼システムである運行管理点呼システム１は、体調チェック用パソコン５と管理ロボット６とを備える。パソコン５は、体調チェック結果から社員の体調の良否を判定し、体調チェックの動作指示及び体調チェック結果をディスプレイ５Ａに表示させる。管理ロボット６は、顔認証手段による顔認証にて社員の出退勤を確認し、社員の出勤が確認された場合に、社員に体調チェックを開始させ、社員の体調が良い場合に、錠装置３の施錠状態を解除させる。【選択図】図１
2020095700.tif 000002
【特許請求の範囲】
【請求項１】
部屋あるいは建物に出入したり乗物を運転する管理対象者の体調チェックを行う体調チェック装置と、錠装置を有し前記管理対象者の前記部屋、建物あるいは乗物の鍵を収納する鍵ボックスとを備え、前記管理対象者の体調が良い場合に前記鍵ボックスからの前記鍵の持ち出しを許可する点呼システムであって、
体調チェック用ディスプレイを有し、前記体調チェック装置近傍に配置されると共に前記体調チェック装置に連係される体調チェック用制御装置と、
管理用ディスプレイと、スピーカ及びマイクを持ち前記社員と会話する会話手段と、前記部屋あるいは建物への出入、前記管理対象者の出退勤、体調チェックに関する表示情報及び会話情報を記憶する記憶部と、前記記憶部の表示情報に基づいて前記表示情報を前記管理用ディスプレイに表示しつつ、前記会話情報に基づいて前記管理対象者と会話するロボット制御手段とを有する管理ロボットとを備え、
前記体調チェック用制御装置は、前記体調チェック装置からの信号を受けチェック結果から前記管理対象者の体調の良否を判定する体調判定部と、体調チェックの動作指示及び体調チェック結果を前記体調チェック用ディスプレイに表示させる体調チェック制御手段とを含み、
前記管理ロボットは、顔認証手段を有し前記顔認証手段による顔認証にて前記管理対象者の前記部屋あるいは建物への進入あるいは出勤が確認された場合に、前記管理対象者に体調チェックを開始させる体調チェック管理手段と、前記体調判定部からの信号を受け、前記管理対象者の体調が良い場合に、前記錠装置の施錠状態を解除させる錠管理手段を含む、
ことを特徴とする点呼システム。
【請求項２】
前記管理対象者は、それぞれ管理番号を持ち、
前記記憶部は、前記社員番号に対応して前記社員の顔画像を記憶するものであり、
前記顔認証手段は、前記管理番号を入力する番号入力部と、前記社員の顔画像を撮影する撮影部と、前記番号入力部及び撮影部から信号を受け、撮影された前記社員の顔画像と、前記管理番号に対応して前記記憶部に記憶されている顔画像とを比較し、前記社員本人であるか否かをチェックする顔認証部とを有する、
請求項１に記載の点呼システム。
【請求項３】
前記記憶部は、前記管理番号に対応して前記社員の氏名を記憶するものであり、
前記顔認証手段は、前記管理番号と氏名が一致するか否かをチェックする氏名チェック部を有し、前記顔認証部は、前記氏名チェック部からの信号を受け、前記管理番号と氏名が一致する場合に、顔認証を行うものである、請求項２記載の点呼システム。
【請求項４】
前記ロボット制御手段は、前記顔認証で社員を確認後、出勤あるいは退勤を選択させる画面を前記管理用ディスプレイに表示させるものである、
請求項３に記載の点呼システム。
【請求項５】
前記錠管理手段は、前記管理対象者の鍵番号を入力する鍵番号入力部と、前記鍵番号入力部からの信号を受け前記鍵番号を認証する鍵番号認証部とを有し、
前記ロボット制御手段は、前記鍵番号認証部からの信号を受け、入力した鍵が持ち出されている場合は鍵を持ち出し済みであることを、入力した鍵がある場合は鍵ボックスを開く暗証番号を、前記管理対象者と会話しながら、前記管理用ディスプレイに表示させるものである、
請求項１〜４のいずれか１項に記載の点呼システム。
【請求項６】
前記体調チェック装置は、前記管理対象者の呼気中のアルコール濃度を測定するアルコール濃度測定装置であり、
前記体調判定部は、前記アルコール濃度測定装置の測定結果から前記管理対象者の呼気中にアルコールが含まれているか否かをチェックし、前記管理対象者の呼気中にアルコールが含まれていない場合に、前記管理対象者の体調が良いと判定するものである、
請求項１〜５のいずれか１項に記載の点呼システム。
【請求項７】
前記体調チェック装置は、前記管理対象者の血圧を測定する血圧測定装置であり、
前記体調判定部は、前記血圧測定装置の測定結果から前記管理対象者の血圧が第１設定範囲内にあるか否かをチェックし、前記管理対象者の血圧が第１設定範囲内にある場合に、前記管理対象者の体調が良いと判定するものである、
請求項１〜６のいずれか１項に記載の点呼システム。
【請求項８】
前記体調チェック装置は、前記管理対象者の体温を測定する体温測定装置であり、
前記体調判定部は、前記体温測定結果から前記管理対象者の体温が第２設定範囲内にあるか否かをチェックし、前記管理対象者の体温が第２設定範囲内にある場合に、前記管理対象者の体調が良いと判定するものである、
請求項１〜７のいずれか１項に記載の点呼システム。
【請求項９】
前記ロボット制御手段は、前記体調判定部からの信号を受け、前記管理対象者の体調が良くないと判定された場合に、再検査を行うことを会話で指示しながら前記体調チェック用ディスプレイに再検査を指示する画面を表示させる、
請求項１〜８のいずれか１項に記載の点呼システム。
【請求項１０】
前記管理ロボット及び前記体調チェック装置が連係される管理者用制御装置をさらに備え、  前記管理者用制御装置は、前記管理ロボット及び前記体調チェック装置からの信号を受け、前記管理対象者の前記部屋あるいは建物への出入、前記管理対象者の出退勤、体調情報、錠情報を含む社員情報を管理可能である、
請求項１〜９のいずれか１項に記載の点呼システム。
【発明の詳細な説明】
【技術分野】
【０００１】
本発明は、乗物を運転する社員を管理する運行管理点呼システムなどの、部屋あるいは建物に出入したり乗物を運転する管理対象者を管理する点呼システムに関する。特に、出入室、出退勤の管理のほか、体調（アルコールの有無、血圧、体温などの健康状態）を管理する点呼システムに関する。
【背景技術】
【０００２】
安全道路運送法は、管理者とドライバーが対面して乗務前の点呼を実施することを、運送事業者に義務付けている。実施内容は、ドライバーの健康状態、検知器を活用した飲酒の有無の確認の他、点呼記録の保管など、多岐にわたる。運行前に管理者がドライバーと対面し、健康状態や飲酒状況を確認する対面点呼においては、体内に残るアルコールを数値で知らせる呼気中アルコール検査装置などが導入されている。運送事業者は、これまでも飲酒運転の一掃による安全確保を徹底してきている。
しかしながら、旧式の共用測定器によっては、数値が記録されないなど、その精度と信頼性に不安があった。同時に、対面点呼は、２４時間体制の車両運行に対応して昼夜問わず行われ、管理側の負担も大きかった。
【０００３】
そこで、社員点呼時に社員の健康指導情報を表示する社員点呼システムが提案されている（例えば、特許文献１参照）。
【先行技術文献】
【特許文献】
【０００４】
【特許文献１】特開２０１７−６８６５６号公報
【発明の概要】
【発明が解決しようとする課題】
【０００５】
しかしながら、特許文献１記載のシステムでは、まだ不十分で、より効率よく、社員の管理を行いたいという要求がある。
このような管理は、乗物を運転する社員の管理に限らず、劇薬などを保管する保管庫に入退室する者の管理、通常の会社や学校での出欠の管理においても求められている。
【０００６】
本発明は、部屋あるいは建物に出入したり乗物を運転したりする管理対象者の健康状態を効率よく管理することができる点呼システムを提供する。
【課題を解決するための手段】
【０００７】
本発明は、部屋あるいは建物に出入したり乗物を運転する管理対象者の体調チェックを行う体調チェック装置と、錠装置を有し前記管理対象者の前記部屋、建物あるいは乗物の鍵を収納する鍵ボックスとを備え、前記管理対象者の体調が良い場合に前記鍵ボックスからの前記鍵の持ち出しを許可する点呼システムであって、体調チェック用ディスプレイを有し、前記体調チェック装置近傍に配置されると共に前記体調チェック装置に連係される体調チェック用制御装置と、管理用ディスプレイと、スピーカ及びマイクを持ち前記社員と会話する会話手段と、前記部屋あるいは建物への出入、前記管理対象者の出退勤、体調チェックに関する表示情報及び会話情報を記憶する記憶部と、前記記憶部の表示情報に基づいて前記表示情報を前記管理用ディスプレイに表示しつつ、前記会話情報に基づいて前記管理対象者と会話するロボット制御手段とを有する管理ロボットとを備え、前記体調チェック用制御装置は、前記体調チェック装置からの信号を受けチェック結果から前記管理対象者の体調の良否を判定する体調判定部と、体調チェックの動作指示及び体調チェック結果を前記体調チェック用ディスプレイに表示させる体調チェック制御手段とを含み、前記管理ロボットは、顔認証手段を有し前記顔認証手段による顔認証にて前記管理対象者の前記部屋あるいは建物への進入あるいは出勤が確認された場合に、前記管理対象者に体調チェックを開始させる体調チェック管理手段と、前記体調判定部からの信号を受け、前記管理対象者の体調が良い場合に、前記錠装置の施錠状態を解除させる錠管理手段を含む、ことを特徴とする。ここで、「錠装置の施錠状態を解除させる」とは、前記錠装置に信号を送り前記錠装置を電気的に解錠することや、前記錠装置はパスワードの入力で解錠する構成とし、パスワードを付与し、そのパスワードを用いて解錠できる状態にすることなどを意味する。
【０００８】
このようにすれば、管理対象者の体調が良い場合に、鍵ボックスの錠装置の施錠状態を解除させるので、管理対象者の体調が悪い場合には、鍵ボックスを開いて鍵を取り出すことができず、体調が悪いことを原因とする事故などを未然に防止することができる。
【０００９】
また、管理ロボットと会話しながら、部屋あるいは建物への出入や出欠・出退勤を確認したり体調チェックを行ったりすることで、部屋あるいは建物への出入の確認、出欠・出退勤の確認、体調チェックをスムーズに行うことができる。
【００１０】
請求項２に記載のように、  前記管理対象者は、それぞれ管理番号を持ち、前記記憶部は、前記管理番号に対応して前記社員の顔画像を記憶するものであり、前記顔認証手段は、前記管理番号を入力する番号入力部と、前記社員の顔画像を撮影する撮影部と、前記番号入力部及び撮影部から信号を受け、撮影された前記社員の顔画像と、前記管理番号に対応して前記記憶部に記憶されている顔画像とを比較し、前記社員本人であるか否かをチェックする顔認証部とを有する、ことが望ましい。
【００１１】
このようにすれば、管理番号と、顔認証とを利用することで、代理で、部屋あるいは建物への出入、出退勤操作や体調チェックを行うのを防止することができる。
【００１２】
請求項３に記載のように、前記記憶部は、前記管理番号に対応して前記社員の氏名を記憶するものであり、前記顔認証手段は、前記管理番号と氏名が一致するか否かをチェックする氏名チェック部を有し、前記顔認証部は、前記氏名チェック部からの信号を受け、前記管理番号と氏名が一致する場合に、顔認証を行うものである、ことが望ましい。
【００１３】
このようにすれば、顔認証と氏名確認とを組み合わせることで、本人確認の精度を高めることができ、代理で、出退勤操作や体調チェックを行うのを確実に防止することができる。
【００１４】
請求項４に記載のように、前記ロボット制御手段は、前記顔認証で社員を確認後、出勤あるいは退勤を選択させる画面を前記管理用ディスプレイに表示させるものである、ことが望ましい。
【００１５】
このようにすれば、人手によらず、管理ロボットによって部屋あるいは建物への出入、出退勤の管理を行うことができる。
【００１６】
請求項５に記載のように、前記錠管理手段は、前記管理対象者の鍵番号を入力する鍵番号入力部と、前記鍵番号入力部からの信号を受け前記鍵番号を認証する鍵番号認証部とを有し、前記ロボット制御手段は、前記鍵番号認証部からの信号を受け、入力した鍵が持ち出されている場合は鍵を持ち出し済みであることを、入力した鍵がある場合は鍵ボックスを開く暗証番号を、前記管理対象者と会話しながら、前記管理用ディスプレイに表示させるものである、ことが望ましい。
【００１７】
このようにすれば、鍵ボックスで鍵を持ち出す前に鍵があるかどうかの確認ができ、無駄がなくなる。
【００１８】
請求項６に記載のように、前記体調チェック装置は、前記管理対象者の呼気中のアルコール濃度を測定するアルコール濃度測定装置であり、前記体調判定部は、前記アルコール濃度測定装置の測定結果から前記管理対象者の呼気中にアルコールが含まれているか否かをチェックし、前記管理対象者の呼気中にアルコールが含まれていない場合に、前記管理対象者の体調が良いと判定するものである、ことが望ましい。
【００１９】
このようにすれば、前記管理対象者の呼気中にアルコールが含まれていない場合に、前記管理対象者の体調が良いと判定するので、前記管理対象者による飲酒運転などを未然に防止することができる。
【００２０】
請求項７に記載のように、前記体調チェック装置は、前記管理対象者の血圧を測定する血圧測定装置であり、前記体調判定部は、前記血圧測定装置の測定結果から前記管理対象者の血圧が第１設定範囲内にあるか否かをチェックし、前記管理対象者の血圧が第１設定範囲内にある場合に、前記管理対象者の体調が良いと判定するものである、ことが望ましい。
【００２１】
このようにすれば、管理対象者の血圧が第１設定範囲内にある場合に、前記管理対象者の体調が良いと判定するので、血圧を原因とする管理対象者の体調不良を検出することができる。
【００２２】
請求項８に記載のように、前記体調チェック装置は、前記管理対象者の体温を測定する体温測定装置であり、前記体調判定部は、前記体温測定結果から前記管理対象者の体温が第２設定範囲内にあるか否かをチェックし、前記管理対象者の体温が第２設定範囲内にある場合に、前記管理対象者の体調が良いと判定するものである、ことが望ましい。
【００２３】
このようにすれば、管理対象者の体温が第２設定範囲内にある場合に、前記管理対象者の体調が良いと判定するので、体温を原因とする管理対象者の体調不良を検出することができる
請求項９に記載のように、前記ロボット制御手段は、前記体調判定部からの信号を受け、前記管理対象者の体調が良くないと判定された場合に、再検査を行うことを会話で指示しながら前記体調チェック用ディスプレイに再検査を指示する画面を表示させる、ことが望ましい。
【００２４】
このようにすれば、誤動作による誤検出を回避できる。
【００２５】
請求項１０に記載のように、前記管理ロボット及び前記体調チェック装置が連係される管理者用制御装置をさらに備え、前記管理者用制御装置は、前記管理ロボット及び前記体調チェック装置からの信号を受け、前記管理対象者の前記部屋あるいは建物への出入、前記管理対象者の出退勤、体調情報、錠情報を含む社員情報を管理可能である、ことが望ましい。
【００２６】
このようにすれば、管理者は、管理対象者の前記部屋あるいは建物への出入、前記管理対象者の出退勤、体調情報、錠情報を含む社員情報を簡単に保存して、管理に利用することができる。
【発明の効果】
【００２７】
本発明は、部屋あるいは建物に出入したり乗物を運転したりする管理対象者の体調が良い場合に、鍵ボックスの錠装置の施錠状態を解除させるので、管理対象者の体調が悪い場合には、鍵ボックスを開いて鍵を取り出すことができず、体調が悪いことを原因とする事故などを未然に防止することができる。
【図面の簡単な説明】
【００２８】
【図１】本発明に係る点呼システムの一実施の形態である運行管理点呼システムの概略構成図である。
【図２】制御系を示すブロック図である。
【図３】管理ロボットの管理用ディスプレイの表示例を示す説明図である。
【図４】管理ロボットの管理用ディスプレイの表示例を示す説明図である。
【図５】管理ロボットの管理用ディスプレイの表示例を示す説明図である。
【図６】体調チェック用ディスプレイの表示例を示す説明図である。
【図７】体調チェック用ディスプレイの表示例を示す説明図である。
【図８】管理ロボットの管理用ディスプレイの表示例を示す説明図である。
【図９】管理ロボットの管理用ディスプレイの表示例を示す説明図である。
【図１０】管理ロボットの管理用ディスプレイの表示例を示す説明図である。
【図１１】点呼結果一覧の一例を示す図である。
【発明を実施するための形態】
【００２９】
以下、本発明の実施の形態を図面に沿って説明する。
（全体構成）
図１は本発明に係る点呼システムの一実施の形態である運行管理点呼システムの概略構成図、図２は制御系を示すブロック図である。
【００３０】
図１及び図２に示すように、点呼システムである運行管理点呼システム１は、輸送車両などの車を運転する複数の社員Ａ（管理対象者）の体調チェックを行う体調チェック装置（アルコール濃度測定機２Ａ、血圧測定機２Ｂ）と、錠装置３を有し社員Ａの車の鍵Ｂを収納する鍵ボックス４とを備え、社員Ａの体調が良い場合に鍵ボックス４からの鍵Ｂの持ち出しを許可するものである。
【００３１】
この実施の形態では、体調チェック装置としては、社員の呼気中のアルコール濃度を測定するアルコール濃度測定機２Ａと、社員の血圧を測定する血圧測定機２Ｂとを備え、それらは並んで配置されている。
【００３２】
運行管理点呼システム１は、さらに、アルコール濃度測定機２Ａ及び血圧測定機２Ｂに連係され体調チェックを制御する体調チェック用パソコン５（体調チェック用制御装置）と、体調チェック用パソコン５に連係され例えば人工知能（ＡＩ）を利用して社員Ａの出退勤、体調チェック、錠の出し入れなどを管理する管理ロボット６（例えば、ソフトバンク社製のＰＥＰＰＥＲ）とを備える。また、複数の社員Ａは、それぞれ、固有の社員番号（管理番号）を持つ。
【００３３】
管理ロボット６と、体調チェック装置５とからの信号を受ける管理者用制御装置７をさらに備え、管理者用制御装置７は、体調チェック装置５及び管理ロボット６からの信号を受け、前記社員の出退勤、体調情報、錠情報を含む社員情報を保存可能である。この社員情報を利用して、管理者は、社員の管理を行うことができる。よって、点呼内容はすべて印刷することができる（例えば、図１１参照）。
（体調チェック用パソコン５）
体調チェック用パソコン５は、体調チェック用ディスプレイ５Ａを有し、体調チェック装置（アルコール濃度測定機２Ａ、血圧測定機２Ｂ）の近傍に配置されると共に、体調チェック装置であるアルコール濃度測定機２Ａ及び血圧測定機２Ｂそれぞれに連係されている。そして、体調チェック用パソコン５は、アルコール濃度測定機２Ａ及び血圧測定機２Ｂから信号を受け、その測定結果（チェック結果）から社員Ａの体調の良否を判定する体調判定部５Ｂと、管理ロボット６や体調判定部５Ｂからの信号を受け、体調チェック用ディスプレイ５Ａに、体調チェックの動作指示画面や体調チェック結果画面の表示などを制御する制御部５Ｃとを備える。制御部５Ｃによって切り替えられる体調チェック用ディスプレイ５Ａの画面画像は、記憶部５Ｄに予め記憶されおり、制御部５Ｃによって状況に応じて選択され、また、必要に応じて適宜アレンジされて使用される。
【００３４】
体調判定部５Ｂは、体調チェック装置がアルコール濃度測定機２Ａの場合には、アルコール濃度測定機２Ａからの信号を受け、その測定結果から社員Ａの呼気中にアルコールが含まれているか否かをチェックし、社員Ａの呼気中にアルコールが含まれていない場合に、社員Ａの体調が良いと判定するものである。
【００３５】
また、体調チェック装置が血圧測定機２Ｂである場合には、体調判定部５Ｂは、血圧測
定機２Ｂからの信号を受け、その測定結果から社員Ａの血圧が第１設定範囲内にあるか否かをチェックし、社員Ａの血圧が第１設定範囲内にある場合に、社員Ａの体調が良いと判定するものである。なお、第１設定範囲は、医師との相談の上、各社員に応じて、予め設定されている（例えば、１６０〜１００ｍｍＨＧ）。
【００３６】
さらに、体調判定部５Ｂによって社員Ａの体調が良くないと判定された場合に、制御部５Ｃによって体調チェック用ディスプレイ５Ａに再度チェックを行うことを指示する画面を表示させ、誤動作がないように慎重に体調チェックを行うようにしている。
（管理ロボット６）
管理ロボット６は、顔認証手段６Ａを有する。この顔認証手段６Ａによる顔認証にて各社員Ａの出退勤を確認し、社員Ａの出勤が確認された場合にのみ、社員Ａが体調チェック（アルコール検査（アルコールチェック）、脈拍を含む血圧測定（血圧チェック））を行うようにし、その動作管理を行う体調チェック管理部６Ｂと、体調判定部５Ｂからの信号を受け、社員Ａの体調が良い場合にのみ、錠装置３の施錠状態を解除させる錠管理手段６Ｃとを備える。なお、社員Ａの体調が悪い場合には、管理者に連絡させ、管理者の判断を仰ぐように指示することになる。
【００３７】
管理ロボット６は、さらに、管理用ディスプレイ６Ｄと、スピーカ６Ｅａ及びマイク６Ｅｂを持ち社員Ａと会話する会話手段６Ｅと、出退勤、体調チェックに関する表示情報及び会話情報を記憶する記憶部６Ｆと、記憶部６Ｆの表示情報に基づいて前記表示情報を管理用ディスプレイ６Ｄに表示させつつ、スピーカ６Ｅａ及びマイク６Ｅｂを利用して前記会話情報に基づいて社員Ａと会話させる制御部６Ｇを備える。また、記憶部６Ｆには、社員番号に対して（関連づけられて）氏名や顔画像も記憶されている。
【００３８】
錠管理手段６Ｃは、鍵番号（車の鍵の番号）を入力する鍵番号入力部６Ｃａと、鍵番号入力部６Ｃａからの信号を受け前記鍵番号を認証する鍵番号認証部６Ｃｂとを備える。そして、制御部６Ｇは、鍵番号認証部６Ｃｂからの信号を受け、管理用ディスプレイ６Ｄに、入力した鍵番号の鍵が持ち出されている場合には鍵が持ち出されていることを示す画面を、入力した鍵番号の鍵がある場合には、鍵ボックス４を開く暗証番号を表示する画面を表示させるようになっている。
【００３９】
顔認証手段６Ａは、社員Ａの社員番号を入力する番号入力部６Ａａと、カメラを持ち社員Ａの顔画像を撮影する撮影部６Ａｂと、前記社員番号に基づき、撮影された社員Ａの顔画像と、記憶部６Ｆに記憶されている顔画像とを比較し、前記社員本人であるか否かをチェックする顔認証部６Ａｃとを有する。
【００４０】
また、顔認証手段６Ａは、前記社員番号と、社員番号に関連づけられて記憶部６Ｆに記憶されている氏名が一致するか否かをチェックする氏名チェック部６Ａｄも有し、顔認証部６Ａｃは、氏名チェック部６Ａｄからの信号を受け、前記社員番号と氏名が一致する場合に、顔認証を行うものである。
【００４１】
また、制御部６Ｇは、顔認証手段６Ａからの信号を受け、前記顔認証で社員を確認後、出勤あるいは退勤を選択させる選択画面を前記管理用ディスプレイ６Ｄに表示させる。
【００４２】
続いて、運行管理点呼システムの操作の流れについて説明する。なお、すべて、管理ロボット６と会話しながら点呼を受けることになる。
（出退勤）
まず、出勤時あるいは退勤時に、図３（１）に示すように、管理ロボット６の管理用ディスプレイ６Ｄに、ＴＯＰ画面として、スタートボタンが表示されるので、スタートボタンをタップすることで、点呼を開始する。
【００４３】
これにより、図３（２）に示すように、社員番号入力画面が表示されるので、空欄部に社員番号を入力し、決定ボタンをタップする（番号入力部６Ａａ）。
【００４４】
すると、図３（３）の上側部分に示すように、社員番号・氏名確認画面が表示されるので、表示された社員番号（社員番号）と氏名を確認する（氏名チェック部、記憶部）。正しければ、ＯＫボタンをタップすることで、図４（４）に示すように、顔認証画面が表示される。
【００４５】
間違っている場合には、キャンセルボタンをタップすると、社員番号入力画面に戻るので、再度社員番号を入力する。なお、登録されていない社員番号を入力した場合には、図３（３）の下側部分に示すように、社員番号は登録されていないと表示されるので、ＯＫボタンをタップすることで、社員番号入力画面に戻る。よって、再度社員番号を入力することができる。
【００４６】
図４（４）に示す顔認証画面において、矢印ボタンをタップし、カメラの位置を調整する（撮影部）。社員の顔が写る位置になったら、ＯＫボタンをタップし、顔認証を開始する（顔認証部、記憶部）。
【００４７】
顔認証に失敗した場合には、図４（５）に示すように、顔認証失敗画面（１回目）に切り替わるので、ＯＫボタンをタップし、再度顔認証を行うことになる。２回顔認証を失敗すると、図４（６）に示すように、関係者への連絡を指示する顔認証失敗画面（２回目）が出るので、ＯＫボタンをタップし、最初からやり直すことになる。一方、顔認証が成功した場合には、図４（７）に示すように、出退勤連絡画面に移る。
【００４８】
これにより、社員本人以外の社員による代理点呼を防止することに役立つ。
【００４９】
図４（７）に示す出退勤画面では、出勤の場合には出勤ボタンを、退勤の場合には退勤ボタンをタップする。なお、出勤操作を連続して行った場合には、図５（８）に示すように、出勤不可画面が表示されるので、ＯＫボタンをタップして、ＴＯＰ画面に戻る。そして、しばらくしてから再度出勤操作をやり直すことになる。
【００５０】
出勤ボタンをタップすると、図５（９）に示す体調チェック開始画面が表示される。
（体調チェック）
準備ができたら、図５（９）に示す体調チェック開始画面のＯＫボタンをタップする。すると、図５（１０）に示すように、体調チェック用パソコン５の前に移動するように指示され、図５（１１）に示すように、体調チェック用パソコン５は待機中画面に自動的に切り替わる。なお、管理ロボット６の画面には、体調チェックが完了するまで、「パソコンの指示にしたがってください」と表示され、体調チェックが完了すると、後述する体調チェック結果を示す画面に自動的に切り替わる。
【００５１】
パソコンの前に移動すると、図６（１２）に示すように、アルコール検査開始画面が表示され、アルコール検知装置の電源をオンすると、図６（１３）に示すアルコール検査画面に切り替わり、管理ロボットからの「息を吹き込んで下さい」との指示とともに、アルコール検査画面に息を吹き込む指示が表示される（体調判定部）。
【００５２】
アルコール測定が終了すると、図６（１４）に示すように、アルコール検査結果画面に自動的に切り替わる。
【００５３】
測定値を確認し、ＯＫボタンをタップすることで、アルコール検査は終了する。
【００５４】
アルコールが検知された場合には、図６（１５）に示すように、アルコール検査ＮＧ画面が表示されるので、再度アルコール検査を行うことになる。
【００５５】
アルコールが検知されると、鍵ボックス４の錠装置３が開かず、車の鍵を持ち出すことができない。
【００５６】
続いて、図７（１６）に示すように、血圧測定開始画面が表示され、血圧測定に移ることになるが、血圧測定を行わない場合は、管理ロボットの前に移動し、体調チェック結果画面（図７（１９）参照）で、測定値を確認し、ＯＫボタンをタップする。
【００５７】
血圧測定に移ると、図７（１６）に示す血圧測定開始画面の指示、管理ロボット６による会話での指示に従い、血圧測定機２Ｂに腕を深く差し込み、スタートボタンを押す（体調判定部）。血圧測定が開始し、終了すると、図７（１７）に示す血圧測定結果画面に自動的に切り替わる。
【００５８】
血圧測定結果画面に表示される測定値を確認し、ＯＫボタンをタップして、血圧測定を終了する。
【００５９】
血圧測定にて異常が検出された場合には、図７（１８）に示す血圧測定ＮＧ画面が表示され、再度血圧測定を行う必要が生ずる。
【００６０】
血圧測定が終了すると、管理ロボットに戻り、図７（１９）に示す体調チェック結果画面にて測定値を確認し、ＯＫボタンをタップし、終了する。
【００６１】
なお、アルコール検査や血圧測定は、２回まで行うことができるが、２回ともＮＧの場合には、図８（２０）に示すアルコールチェックＮＧ画面や図８（２１）に示す血圧測定ＮＧ画面が表示され、関係者(管理者)への連絡が指示される。ＮＧと判定された社員に対しては，医者にかかって治療中であるかなどを確認し、治療を受けていない場合には、受診や治療などを指導する。
よって、社員の体調が悪い場合には、後述するように、鍵ボックス４を開いて鍵Ｂを取り出すことができず、体調が悪いことを原因とする事故などを未然に防止することができる。
【００６２】
そのほか、必要に応じて、図８（２２）に示すように、追加質問画面を表示して、追加質問を行うこともできる。回答に問題がある場合には、図８（２３）に示す追加質問ＮＧ画面が表示される。
（鍵の持ち出し）
図７（１９）に示す体調チェック結果画面にてＯＫボタンをタップすると、図９（２４）に示すように、鍵番号入力画面が表示される（鍵番号入力部）。
【００６３】
鍵番号を入力し、決定ボタンをタップすると、図９（２５）に示す鍵認証中画面に切り替わる（鍵認証部）。なお、予め鍵番号が表示されている場合、鍵番号を確認し、間違いがない場合に決定ボタンをタップするようにすることもできる。
【００６４】
入力した鍵番号が認証されると、図９（２６）に示すように、出勤完了画面（暗証番号あり）に自動的に切り替わり、修理工場に入庫などの理由により、入力した鍵が持ち出されている場合には、図９（２７）に示すように、鍵持ち出し済み画面に自動的に切り替わる。
【００６５】
出勤完了画面（暗証番号あり）で表示されている暗証番号で鍵ボックス４を開き、鍵を抜き取り、出金処理は終了する。ＯＫボタンをタップして、ＴＯＰ画面にもどる。なお、暗証番号は、毎日変更される。
【００６６】
鍵持ち出し済み画面では、再入力する場合には、再入力ボタンをタップし鍵番号入力画面に移り、鍵を取り出さない場合には、入力しないボタンをタップし、図１０（２８）に示す出勤完了画面に移る。
【００６７】
出勤完了画面の表示により、出勤処理は終了である。ＯＫボタンをタップして、ＴＯＰ画面に戻る。
【００６８】
また、退勤の場合は、図１０（２９）に示す退勤完了画面の表示により、退勤処理は終了で、出勤時と同様に、ＯＫボタンをタップして、ＴＯＰ画面に戻る。なお、鍵ボックス４を利用する場合には、返却用暗証番号にて鍵ボックス４を開き、鍵を返却する。
【００６９】
この退勤処理終了の際に、管理ロボット６は「ゆっくり休んで下さい」「よい睡眠は心も体も健康にします」などを表示するとともに、音声が出力される。
【００７０】
前述した内容は、管理者用パソコン７にインターネットを通じて送信され、点呼内容すべてを印刷することができる。インターネットに変えて有線とすることも可能である。
【００７１】
前記実施の形態では、アルコール濃度測定、血圧測定を行っているだけであるが、それらに加えて、体温測定を行うことも可能である。
【００７２】
その場合には、さらに、社員の体温を測定する体温測定機を備え、体調判定部は、前記体温測定機のよる体温測定結果から前記社員の体温が、前記社員の正常範囲である第２設定範囲内にあるか否かをチェックし、前記社員の体温が第２設定範囲内にある場合に、前記社員の体調が良いと判定することになる。第２設定範囲は、医者と相談の上、各社員に応じて、予め設定されている。
【００７３】
以上のとおり、本発明の好適な実施形態を説明したが、本発明の趣旨を逸脱しない範囲内で、種々の追加、変更が可能である。
例えば、前記実施の形態では、管理対象者が、乗物を運転する社員であり、前記乗物が輸送車両などの車両である場合、社員（管理対象者）を管理する運行管理点呼システムについて説明しているが、乗物は、車両に限らず、電車、モノレール、航空機、船舶などのその他の乗物である場合にも適用することができる。また、前述したような管理は、乗物を運転する社員（管理対象者）の管理に限らず、劇薬などを保管する保管庫、大学の研究室など特殊な建物・部屋に入退室する者の管理、養護施設、病院、会社・学校での従業員・生徒あるいは教員などの出欠の管理、会議室やホテルの部屋などの通常の部屋への入退室の管理にも適用することができる。
【符号の説明】
【００７４】
１  運行管理点呼システム（点呼システム）
２Ａ  アルコール濃度測定機
２Ｂ  血圧測定機
３  錠装置
４  鍵ボックス
５  体調チェック用パソコン（体調チェック用制御装置）
５Ａ  体調チェック用ディスプレイ
５Ｂ  体調判定部
５Ｃ  制御部（体調チェック制御手段）
５Ｄ  記憶部
６  管理ロボット
６Ａ  顔認証手段
６Ａａ  番号入力部
６Ａｂ  撮影部
６Ａｃ  顔認証部
６Ａｄ  氏名チェック部
６Ｂ  体調チェック管理部（体調チェック管理手段）
６Ｃ  錠管理手段
６Ｃａ  鍵番号入力部
６Ｃｂ  鍵番号認証部
６Ｄ  管理用ディスプレイ
６Ｅ  会話手段
６Ｅａ  スピーカ
６Ｅｂ  マイク
６Ｆ  記憶部
６Ｇ  制御部（ロボット制御手段）
７  管理者用パソコン（管理者用制御装置）
Ａ  社員（管理対象者）
Ｂ  鍵
Ｃ  管理者
【図１】
2020095700.tif 000003
【図２】
2020095700.tif 000004
【図３】
2020095700.tif 000005
【図４】
2020095700.tif 000006
【図５】
2020095700.tif 000007
【図６】
2020095700.tif 000008
【図７】
2020095700.tif 000009
【図８】
2020095700.tif 000010
【図９】
2020095700.tif 000011
【図１０】
2020095700.tif 000012
【図１１】
2020095700.tif 000013